(57)【特許請求の範囲】
【請求項１】
熱源側ユニット（１１０）と、
複数の利用側ユニット（１２０）と、
前記熱源側ユニット及び前記利用側ユニットと通信を行う冷媒分岐ユニット（１３０）と、
を備え、
前記冷媒分岐ユニットは、前記熱源側ユニットと前記利用側ユニットとの間に配置され、複数の冷媒系統（ＲＳ１、ＲＳ２、ＲＳ３、ＲＳ４）と、複数の通信系統（ＣＳ１、ＣＳ２、ＣＳ３、ＣＳ４）と、各前記通信系統に配置されて各前記通信系統の導通及び遮断を切り換える切換スイッチ（８１、８２、８３、８４）と、を含み、
各前記冷媒系統は、１以上の前記利用側ユニットに接続され、
各前記通信系統は、いずれかの前記冷媒系統と１対１で対応づけられ、対応する前記冷媒系統に接続された前記利用側ユニットに接続され、前記利用側ユニットと前記冷媒分岐ユニットとの間で送受信される制御信号を送り、
前記冷媒分岐ユニットは、電源投入時に、各前記利用側ユニットに対して通信アドレスを設定してから、各前記切換スイッチを介して各前記通信系統の導通及び遮断を切り換えて各前記利用側ユニットが接続する前記通信系統を判別することで各前記利用側ユニットがいずれの前記冷媒系統に接続されているかを特定する冷媒系統特定動作を行い、前記冷媒系統特定動作後に前記通信アドレスと前記冷媒系統を関連づけて記憶する、
空調システム（１００）。
【請求項２】
前記冷媒分岐ユニットは、前記冷媒系統特定動作後は、各前記切換スイッチを介して全ての前記通信系統を導通する、
請求項１に記載の空調システム（１００）。
【請求項３】
各前記通信系統を構成する各伝送路（１５１、１５２、１５３、１５４）は、対応する前記冷媒系統を構成する冷媒配管（ＬＰ、ＧＰ）に沿って延びる、
請求項１又は２に記載の空調システム（１００）。
【請求項４】
前記冷媒分岐ユニットは、いずれの前記通信系統にも属さない第２伝送路（１１２）を介して前記熱源側ユニットと信号の送受信を行い、前記熱源側ユニット及び各前記利用側ユニット間の通信において送受信される信号を中継する、
請求項１から３のいずれか１項に記載の空調システム（１００）。
【発明の詳細な説明】
【技術分野】
【０００１】
本発明は、空調システムに関する。
【背景技術】
【０００２】
従来、複数の冷媒系統及び複数の通信系統を備えた空調システムがある。例えば、特許文献１（特開２０００−１４６２６６号公報）には、複数の室外機と複数の室内機との間に、冷媒の流れを分岐する冷媒流路分岐ユニットを配置し、冷媒流路分岐ユニットと室内機との間において複数の冷媒系統と複数の通信系統を構成した空調システムが開示されている。このような空調システムでは、各冷媒系統における冷媒の流れを制御するために、初期設定の際、各室内機がいずれの冷媒系統に接続されているかを特定する必要がある。特許文献１では、冷媒流路分岐ユニットが、各室内機に対して通信アドレスを設定する際、いずれかの冷媒系統に冷媒を供給してから各室内機の熱交換器の温度センサの値を検出することで、各室内機が接続されている冷媒系統を特定している。
【発明の概要】
【発明が解決しようとする課題】
【０００３】
しかし、特許文献１では、各室内機の通信アドレスを設定する際、冷媒を供給してから熱交換器の温度センサの変化を待つ必要があるため、冷媒系統の数によっては施工時やメンテナンス時における室内機の通信アドレスの設定等の初期設定に長時間を要することが想定される。
【０００４】
そこで、本発明の課題は、初期設定にかかる時間を短縮する空調システムを提供することである。
【課題を解決するための手段】
【０００５】
本発明の第１観点に係る空調システムは、熱源側ユニットと、複数の利用側ユニットと、冷媒分岐ユニットと、を備える。冷媒分岐ユニットは、熱源側ユニット及び利用側ユニットと通信を行う。冷媒分岐ユニットは、熱源側ユニットと利用側ユニットとの間に配置される。冷媒分岐ユニットは、複数の冷媒系統と、複数の通信系統と、切換スイッチと、を含む。切換スイッチは、各通信系統に配置されて、各通信系統の導通及び遮断を切り換える。各冷媒系統は、１以上の利用側ユニットに接続される。各通信系統は、いずれかの冷媒系統と１対１で対応づけられる。各通信系統は、対応する冷媒系統に接続された利用側ユニットに接続される。各通信系統は、利用側ユニットと冷媒分岐ユニットとの間で送受信される制御信号を送る。冷媒分岐ユニットは、電源投入時に、冷媒系統特定動作を行う。冷媒分岐ユニットは、冷媒系統特定動作において、各切換スイッチを介して各通信系統の導通及び遮断を切り換えて各利用側ユニットが接続する通信系統を判別することで、各利用側ユニットがいずれの冷媒系統に接続されているかを特定する。
【０００６】
本発明の第１観点に係る空調システムでは、各通信系統は対応する冷媒系統に接続された利用側ユニットに接続される。また、冷媒分岐ユニットは、各通信系統に配置される切換スイッチを含み、電源投入時に各切換スイッチを介して各通信系統の導通及び遮断を切り換えて各利用側ユニットが接続する通信系統を判別することで、各利用側ユニットがいずれの冷媒系統に接続されているかを特定する冷媒系統特定動作を行う。これにより、複数の冷媒系統及び複数の通信系統を含む空調システムの施工時やメンテナンス時において、初期設定の際に、各冷媒系統に冷媒を供給して温度変化を判定することなく、各利用側ユニットが接続される冷媒系統が特定される。よって、空調システムの初期設定に係る時間が短縮される。
【０００７】
本発明の第２観点に係る空調システムは、第１観点に係る空調システムであって、冷媒分岐ユニットは、各室内ユニットに対して通信アドレスを設定してから冷媒系統特定動作を行う。冷媒分岐ユニットは、冷媒系統特定動作後に、通信アドレスと冷媒系統を関連づけて記憶する。
【０００８】
本発明の第２観点に係る空調システムでは、冷媒分岐ユニットは、各室内ユニットに対して通信アドレスを設定してから冷媒系統特定動作を行い、冷媒系統特定動作後に通信アドレスと冷媒系統を関連づけて記憶する。これにより、空調システムの初期設定が円滑化され、空調システムの初期設定に係る時間がさらに短縮される。
【０００９】
本発明の第３観点に係る空調システムは、第１観点又は第２観点に係る空調システムであって、冷媒分岐ユニットは、冷媒系統特定動作後は、各切換スイッチを介して全ての通信系統を導通する。
【００１０】
本発明の第３観点に係る空調システムでは、冷媒分岐ユニットは、冷媒系統特定動作後は、各切換スイッチを介して全ての通信系統を導通する。すなわち、冷媒分岐ユニットは、初期設定時にのみ通信系統の導通及び遮断を切り換える。これにより、初期設定完了後は、通信系統の切換え等の特別な処理をすることなく、利用側ユニットと冷媒分岐ユニットとの通信を行うことが可能となり、通信に係る処理が簡略化される。
【００１１】
本発明の第４観点に係る空調システムは、第１観点から第３観点のいずれかに係る空調システムであって、各通信系統を構成する各伝送路は、対応する冷媒系統を構成する冷媒配管に沿って延びる。
【００１２】
本発明の第４観点に係る空調システムでは、各通信系統を構成する各伝送路は、対応する冷媒系統を構成する冷媒配管に沿って延びる。これにより、冷媒分岐ユニットにおいて、誤配線を抑制しつつ特定の冷媒系統と対応づけて通信系統を設けることが可能となる。
【００１３】
本発明の第５観点に係る空調システムは、第１観点から第４観点のいずれかに係る空調システムであって、冷媒分岐ユニットは、第２伝送路を介して、熱源側ユニットと信号の送受信を行う。第２伝送路は、いずれの通信系統にも属さない伝送路である。冷媒分岐ユニットは、熱源側ユニット及び各利用側ユニット間の通信において送受信される信号を中継する。
【００１４】
本発明の第５観点に係る空調システムでは、冷媒分岐ユニットは、いずれの通信系統にも属さない第２伝送路を介して熱源側ユニットと信号の送受信を行い、熱源側ユニット及び各利用側ユニット間の通信において送受信される信号を中継する。これにより、簡単な構成にして、利用側ユニット及び熱源側ユニット間の通信を実現することが可能となる。
【発明の効果】
【００１５】
本発明の第１観点に係る空調システムでは、空調システムの初期設定に係る時間が短縮される。
【００１６】
本発明の第２観点に係る空調システムでは、空調システムの初期設定に係る時間がさらに短縮される。
【００１７】
本発明の第３観点に係る空調システムでは、通信に係る処理が簡略化される。
【００１８】
本発明の第４観点に係る空調システムでは、冷媒分岐ユニットにおいて、誤配線を抑制しつつ特定の冷媒系統と対応づけて通信系統を設けることが可能となる。
【００１９】
本発明の第５観点に係る空調システムでは、簡単な構成にして、利用側ユニット及び熱源側ユニット間の通信を実現することが可能となる。
【図面の簡単な説明】
【００２０】
【図１】本発明の一実施形態に係る空調システムの全体構成図。
【図２】室外ユニット内の冷媒回路図。
【図３】室内ユニット及び中間ユニット内の冷媒回路図。
【図４】空調システムにおける伝送路を表した模式図。
【図５】中間ユニット制御部の概略構成図。
【図６】中間ユニット制御部のアドレス設定処理及びアドレス登録処理の流れを示したフローチャート。
【図７】アドレス設定処理及びアドレス登録処理時における各部の動作を示したシーケンス図。
【図８】アドレス設定処理及びアドレス登録処理時における各部の動作を示したシーケンス図。
【図９】変形例Ｅに係るアドレス設定登録処理の流れを示したフローチャート。
【発明を実施するための形態】
【００２１】
以下、図面を参照しながら、本発明の一実施形態に係る空調システム１００について説明する。なお、以下の実施形態は、本発明の具体例であって、本発明の技術的範囲を限定するものではなく、発明の要旨を逸脱しない範囲で適宜変更が可能である。
【００２２】
（１）空調システム１００
図１は、本発明の一実施形態に係る空調システム１００の全体構成図である。空調システム１００は、ビルや工場等の建築物等に設置されて、冷房運転や暖房運転等を行って対象空間の空気調和を実現する。空調システム１００は、冷媒配管方式の空調システムであって、蒸気圧縮方式の冷凍サイクル運転を行う。
【００２３】
空調システム１００は、主として、熱源側ユニットとしての１台の室外ユニット１１０と、利用側ユニットとしての複数の室内ユニット１２０と、室外ユニット１１０と利用ユニットの間に配置される１台の中間ユニット１３０と、を備えている。室外ユニット１１０と中間ユニット１３０とは、液連絡管１１、ガス連絡管１２及び高低圧ガス連絡管１３で接続されている。また、各室内ユニット１２０と中間ユニット１３０とは、液管ＬＰ及びガス管ＧＰで接続されている。
【００２４】
また、空調システム１００では、複数の冷媒系統ＲＳ（具体的に第１冷媒系統ＲＳ１、第２冷媒系統ＲＳ２、第３冷媒系統ＲＳ３及び第４冷媒系統ＲＳ４）と、複数の通信系統ＣＳ（具体的に第１通信系統ＣＳ１、第２通信系統ＣＳ２、第３通信系統ＣＳ３及び第４通信系統ＣＳ４）が構成されている。空調システム１００では、冷媒系統ＲＳ毎に冷房運転及び暖房運転を自由に選択可能である。各通信系統ＣＳは、いずれかの冷媒系統ＲＳと１対１で対応付けられている。
【００２５】
以下、空調システム１００の詳細について説明する。
【００２６】
（１−１）室外ユニット１１０
図２は、室外ユニット１１０内の冷媒回路図である。室外ユニット１１０は、例えば建物の屋上やベランダ等の屋外や、地下に設置される。室外ユニット１１０内には、各種の機器が配設され、これらの機器が冷媒配管を介して接続されている。
【００２７】
具体的に、室外ユニット１１０内では、主として、ガス側第１閉鎖弁２１、ガス側第２閉鎖弁２２、液側閉鎖弁２３、アキュームレータ２４、圧縮機２５、第１流路切換弁２６、第２流路切換弁２７、第３流路切換弁２８、室外熱交換器３０、第１室外膨張弁３４、及び第２室外膨張弁３５が配設され、冷媒配管で接続されている。また、室外ユニット１１０内には、これらの機器に加えて、室外ファン３３や室外ユニット制御部１１１等が配設されている。
【００２８】
ガス側第１閉鎖弁２１、ガス側第２閉鎖弁２２及び液側閉鎖弁２３は、冷媒の充填やポンプダウン等の際に開閉される手動の弁である。ガス側第１閉鎖弁２１は、一端がガス連絡管１２に接続され、他端がアキュームレータ２４まで延びる冷媒配管に接続されている。ガス側第２閉鎖弁２２は、一端が高低圧ガス連絡管１３に接続され、他端が第２流路切換弁２７まで延びる冷媒配管に接続されている。液側閉鎖弁２３は、一端が液連絡管１１に接続され、他端が第１室外膨張弁３４又は第２室外膨張弁３５まで延びる冷媒配管に接続されている。
【００２９】
アキュームレータ２４は、圧縮機２５に吸入される低圧冷媒を一時的に貯留し気液分離するための容器である。アキュームレータ２４は、ガス側第１閉鎖弁２１と圧縮機２５との間に配置されている。
【００３０】
圧縮機２５は、圧縮機用モータを内蔵する密閉式の構造を有しており、例えばスクロール方式やロータリ方式などの容積式の圧縮機である。圧縮機２５は、吸入した低圧冷媒を圧縮した後、吐出する。圧縮機２５の吐出口には、吐出配管２５２が接続されている。
【００３１】
第１流路切換弁２６、第２流路切換弁２７及び第３流路切換弁２８（以下、これらをまとめて流路切換弁ＳＶと称する）は、四路切換弁であり、状況に応じて冷媒の流れを切り換えている（図２の実線及び破線を参照）。流路切換弁ＳＶの冷媒流入口には、吐出配管２５２又は吐出配管２５２から延びる分岐管が接続されている。また、流路切換弁ＳＶは、運転時において、一の冷媒流路における冷媒の流れが遮断されるように構成されており、事実上、三方弁として機能している。
【００３２】
室外熱交換器３０は、第１熱交換部３１と、第２熱交換部３２とを含んでいる。第１熱交換部３１は、第３流路切換弁２８に接続される冷媒配管が一端に接続され、第１室外膨張弁３４まで延びる冷媒配管が他端に接続されている。第２熱交換部３２は、第１流路切換弁２６に接続される冷媒配管が一端に接続され、第２室外膨張弁３５まで延びる冷媒配管が他端に接続されている。第１熱交換部３１及び第２熱交換部３２を通過する冷媒は、室外ファン３３が生成する空気流と熱交換する。
【００３３】
室外ファン３３は、例えばプロペラファンである。室外ファン３３が駆動すると、室外ユニット１１０内に流入し室外熱交換器３０を通過して室外ユニット１１０外へ流出する空気流が生成される。
【００３４】
第１室外膨張弁３４及び第２室外膨張弁３５は、例えば開度調整が可能な電動弁である。第１室外膨張弁３４は、第１熱交換部３１から延びる冷媒配管が一端に接続され、液側閉鎖弁２３まで延びる冷媒配管が他端に接続されている。第２室外膨張弁３５は、第２熱交換部３２から延びる冷媒配管が一端に接続され、液側閉鎖弁２３まで延びる冷媒配管が他端に接続されている。第１室外膨張弁３４及び第２室外膨張弁３５は、状況に応じて開度が調整され、内部を通過する冷媒をその開度に応じて減圧している。
【００３５】
室外ユニット制御部１１１は、ＣＰＵやメモリ等で構成されるマイクロコンピュータや通信回路を含む。室外ユニット制御部１１１は、自己（室外ユニット制御部１１１）の通信アドレスをメモリに保持している。室外ユニット制御部１１１は、通信ケーブル１１２（特許請求の範囲記載の「第２伝送路」に相当）を介して中間ユニット制御部１３１（後述）と接続されている。室外ユニット制御部１１１は、通信ケーブル１１２によって構成される独立の通信系統を用いて、所定の通信プロトコルに基づき中間ユニット制御部１３１と相互に信号の送受信を行う。室外ユニット制御部１１１は、受信した信号や状況に応じて、圧縮機２５及び室外ファン３３の発停や回転数を制御するとともに、各種の弁の開閉や開度調整を制御する。
【００３６】
また、室外ユニット制御部１１１は、空調システム１００の施工、メンテナンス、又は室内ユニット１２０の増設等を行う場合等において電源遮断後新たに電源を投入された時（以下、電源投入時と記載）に、中間ユニット１３０に対して通信アドレスを設定する。具体的に、当該通信アドレスの設定は、通信アドレスデータを含むアドレス設定信号が、通信ケーブル１１２を介して室外ユニット制御部１１１から中間ユニット１３０（中間ユニット制御部１３１）に対して送信されることによって行われる。また、室外ユニット制御部１１１は、初期設定時に中間ユニット１３０（中間ユニット制御部１３１）から送信された各室内ユニット１２０（室内ユニット制御部１２１）の通信アドレスを、所定の記憶領域に格納する。
【００３７】
（１−２）室内ユニット１２０
図３は、室内ユニット１２０及び中間ユニット１３０内の冷媒回路図である。室内ユニット１２０は、例えば天井や側壁等に設置される。本実施形態の空調システム１００では、複数の室内ユニット１２０を備えており、具体的には８台の室内ユニット１２０（１２０ａ、１２０ｂ、１２０ｃ、１２０ｄ、１２０ｅ、１２０ｆ、１２０ｇ及び１２０ｈ）が配設されている。各室内ユニット１２０は、いずれか冷媒系統ＲＳ及びいずれかの通信系統ＣＳに接続されている。また、各室内ユニット１２０は、天井裏等において中間ユニット１３０から延びる液管ＬＰ及びガス管ＧＰに接続されている。また、室内ユニット１２０は、電源ケーブル（図示省略）を介して室外ユニット１１０又は中間ユニット１３０と接続されており、電源を供給される。
【００３８】
具体的に、室内ユニット１２０ａ及び１２０ｂは、第１冷媒系統ＲＳ１及び第１通信系統ＣＳ１に所属している。室内ユニット１２０ａ及び１２０ｂは、液管ＬＰ１及びガス管ＧＰ１を介して中間ユニット１３０内の第１ＢＳユニット７０ａ（後述）と接続されている。
【００３９】
室内ユニット１２０ｃ及び１２０ｄは、第２冷媒系統ＲＳ２及び第２通信系統ＣＳ２に所属している。室内ユニット１２０ｃ及び１２０ｄは、液管ＬＰ２及びガス管ＧＰ２を介して中間ユニット１３０内の第２ＢＳユニット７０ｂ（後述）と接続されている。
【００４０】
室内ユニット１２０ｅ及び１２０ｆは、第３冷媒系統ＲＳ３及び第３通信系統ＣＳ３に所属している。室内ユニット１２０ｅ及び１２０ｆは、液管ＬＰ３及びガス管ＧＰ３を介して中間ユニット１３０内の第３ＢＳユニット７０ｃ（後述）と接続されている（図３では室内ユニット１２０ｅ及び１２０ｆの内部構成は図示省略）。
【００４１】
室内ユニット１２０ｇ及び１２０ｈは、第４冷媒系統ＲＳ４及び第４通信系統ＣＳ４に所属している。室内ユニット１２０ｇ及び１２０ｈは、液管ＬＰ４及びガス管ＧＰ４を介して中間ユニット１３０内の第４ＢＳユニット７０ｄ（後述）と接続されている。
【００４２】
各室内ユニット１２０内では、室内膨張弁５１と、室内熱交換器５２とが配設されており、これらが冷媒配管によって接続されている。また、各室内ユニット１２０内には、室内ファン５３及び室内ユニット制御部１２１が配設されている。
【００４３】
室内膨張弁５１は、開度調整が可能な電動弁である。室内膨張弁５１は、その一端が液管ＬＰに接続され、他端が室内熱交換器５２まで延びる冷媒配管に接続されている。室内膨張弁５１は、その開度に応じて、通過する冷媒を減圧する。
【００４４】
室内熱交換器５２は、一端に室内膨張弁５１から延びる冷媒配管が接続され、他端にガス管ＧＰが接続されている。室内熱交換器５２流入した冷媒は、伝熱管を通過する際、室内ファン５３が生成する空気流と熱交換する。
【００４５】
室内ファン５３は、例えばクロスフローファンやプロペラファンである。室内ファン５３が駆動すると、室内空間から室内ユニット１２０内部に流入して室内熱交換器５２を通過してから室内空間へ流出する空気流が生成される。
【００４６】
室内ユニット制御部１２１は、ＣＰＵやメモリ等で構成されるマイクロコンピュータや通信回路を含む。室内ユニット制御部１２１は、リモートコントローラ（図示省略）を介して、ユーザの運転開始指示や所定の設定指示を入力される。また、室内ユニット制御部１２１は、所定の通信ケーブル（１５１、１５２、１５３、１５４）を介して中間ユニット制御部１３１（後述）と接続されている。室内ユニット制御部１２１は、各通信ケーブルによって構成される通信系統（ＣＳ１、ＣＳ２、ＣＳ３、ＣＳ４）を用いて、所定の通信プロトコルに基づき中間ユニット制御部１３１と相互に信号の送受信を行う。
【００４７】
室内ユニット制御部１２１は、中間ユニット制御部１３１から受信した信号や状況に応じて、室内ファン５３の発停や回転数を制御するとともに、室内膨張弁５１の開閉や開度調整を制御する。室内ユニット制御部１２１は、リモコンを介してユーザから所定の指示を入力されると、当該指示を中間ユニット制御部１３１に送り、状況に応じて室内ファン５３や室内膨張弁５１を駆動させる。
【００４８】
また、室内ユニット制御部１２１は、初期設定時などにおいて、中間ユニット制御部１３１から送信されたアドレス設定報知信号（後述）を受信すると、自己の通信アドレスが設定されているかを判定する。判定の結果、自己の通信アドレスが未設定である場合には、室内ユニット制御部１２１は、アドレス設定要求信号をアドレス設定報知信号に対する返信として中間ユニット制御部１３１へ送信する。
【００４９】
また、室内ユニット制御部１２１は、中間ユニット制御部１３１から送信されたアドレス設定信号（後述）を受信すると、当該アドレス設定信号に含まれる通信アドレスデータを解読して自己の通信アドレスとして所定の記憶領域に格納する。
【００５０】
また、室内ユニット制御部１２１は、初期設定時に中間ユニット１３０（中間ユニット制御部１３１）から送信された室外ユニット１１０（室外ユニット制御部１１１）の通信アドレスを、所定の記憶領域に格納する。
【００５１】
（１−３）中間ユニット１３０
中間ユニット１３０（特許請求の範囲記載の「冷媒分岐ユニット」に相当）は、空調システム１００において、複数の冷媒系統ＲＳ及び複数の通信系統ＣＳ１を構成する役割を果たしている。具体的に、中間ユニット１３０は、室外ユニット１１０と各室内ユニット１２０との間に配設されて、冷媒流路を分岐するとともに冷媒の流れを切り換えている。換言すると、中間ユニット１３０は、その内部に、複数の冷媒系統ＲＳと複数の通信系統ＣＳを含んでいるともいえる。また、中間ユニット１３０は、電源ケーブル（図示省略）を介して室外ユニット１１０と接続されており、電源を供給される。
【００５２】
中間ユニット１３０は、略直方体状のケーシングにより外郭を構成される（図示省略）。中間ユニット１３０は、ケーシング内に複数のヘッダ（具体的に第１ヘッダ５５、第２ヘッダ５６、第３ヘッダ５７及び第４ヘッダ５８）、複数のＢＳユニット７０（具体的に第１ＢＳユニット７０ａ、第２ＢＳユニット７０ｂ、第３ＢＳユニット７０ｃ及び第４ＢＳユニット７０ｄ）及び中間ユニット制御部１３１と、複数の切換部８０（具体的に第１切換部８１、第２切換部８２、第３切換部８３及び第４切換部８４）と、を有している。なお、中間ユニット１３０は、概念的には、複数のＢＳユニット７０を集めて一体に構成したユニットともいえる。
【００５３】
（１−３−１）第１ヘッダ５５、第２ヘッダ５６、第３ヘッダ５７、第４ヘッダ５８
第１ヘッダ５５は、高低圧ガス連絡管１３と接続されている。第２ヘッダ５６は、ガス連絡管１２と接続されている。第３ヘッダ５７は、液連絡管１１と接続されている。
【００５４】
第１ヘッダ５５、第２ヘッダ５６及び第３ヘッダ５７は、ケーシングに形成された貫通孔を介して外部に露出している（図示省略）。第４ヘッダ５８は、各ＢＳユニット７０内の配管Ｐ７（後述）に接続されている。また、第２ヘッダ５６と第４ヘッダ５８とは、２本の接続配管５８１で接続されて連通している。
【００５５】
（１−３−２）ＢＳユニット７０
ＢＳユニット７０は、複数の冷媒配管や電動弁等を組み合わされて構成されている。各ＢＳユニット７０は、いずれかの冷媒系統ＲＳを構成する。具体的に、第１ＢＳユニット７０ａは、液管ＬＰ１及びガス管ＧＰ１とともに第１冷媒系統ＲＳ１を構成する。第２ＢＳユニット７０ｂは、液管ＬＰ２及びガス管ＧＰ２とともに第２冷媒系統ＲＳ２を構成する。第３ＢＳユニット７０ｃは、液管ＬＰ３及びガス管ＧＰ３とともに第３冷媒系統ＲＳ３を構成する（図３では第３ＢＳユニット７０ｃの内部構成は図示省略）。第４ＢＳユニット７０ｄは、液管ＬＰ４及びガス管ＧＰ４とともに第４冷媒系統ＲＳ４を構成する。
【００５６】
各ＢＳユニット７０は、主として、複数の冷媒配管（配管Ｐ１〜Ｐ９）と、複数の電動弁（第１電動弁ＥＶ１、第２電動弁ＥＶ２及び第３電動弁ＥＶ３）と、過冷却熱交換部５９と、を有している。各ＢＳユニット７０は、液管ＬＰ及びガス管ＧＰの一端にそれぞれ接続されている。
【００５７】
配管Ｐ１は、一端が第３ヘッダ５７に接続され、他端が過冷却熱交換部５９の第１流路５９１に接続されている。配管Ｐ２は、一端が過冷却熱交換部５９の第１流路５９１に接続され、他端が液管ＬＰに接続されている。配管Ｐ３は、一端がガス管ＧＰに接続され、他端が第１電動弁Ｅｖ１に接続されている。配管Ｐ４は、一端が第１電動弁Ｅｖ１に接続され、他端が第２ヘッダ５６に接続されている。配管Ｐ５は、一端が配管Ｐ３に接続され、他端が第２電動弁Ｅｖ２に接続されている。配管Ｐ６は、一端が第２電動弁Ｅｖ２に接続され、他端が第１ヘッダ５５に接続されている。配管Ｐ７は、一端が第４ヘッダ５８に接続され、他端が過冷却熱交換部５９の第２流路５９２に接続されている。配管Ｐ８は、一端が過冷却熱交換部５９の第２流路５９２に接続され、他端が第３電動弁Ｅｖ３に接続されている。配管Ｐ９は、一端が第３電動弁Ｅｖ３に接続され、他端が配管Ｐ１に接続されている。
【００５８】
第１電動弁Ｅｖ１、第２電動弁Ｅｖ２及び第３電動弁ＥＶ３は、例えば開度調整が可能な電動弁であり、開度に応じて冷媒を通過させたり遮断したりすることで冷媒の流れを切り換える。
【００５９】
過冷却熱交換部５９は、例えば二重管型熱交換器である。過冷却熱交換部５９は、その内部において第１流路５９１及び第２流路５９２が形成され、第１流路５９１を流れる冷媒と、第２流路５９２を流れる冷媒と、が熱交換しうる構造を有する。
【００６０】
（１−３−３）中間ユニット制御部１３１
図４は、空調システム１００における各伝送路を表した模式図である。中間ユニット制御部１３１は、ＣＰＵやメモリ等で構成されるマイクロコンピュータや各種の電気部品で構成され、基板に実装されている。
【００６１】
中間ユニット制御部１３１は、室外ユニット１１０と中間ユニット１３０との間で延びる通信ケーブル１１２に接続されている。また、中間ユニット制御部１３１は、各室内ユニット１２０と中間ユニット１３０との間で延びる通信ケーブル１５０に接続されている。通信ケーブル１５０は、中間ユニット１３０内で、通信ケーブル１５１、通信ケーブル１５２、通信ケーブル１５３及び通信ケーブル１５４に分岐している。
【００６２】
通信ケーブル１５１は、第１通信系統ＣＳ１を構成しており、第１冷媒系統ＲＳ１を構成する液管ＬＰ１又はガス管ＧＰ１に沿って延びている。これにより、第１冷媒系統ＲＳ１と第１通信系統ＣＳ１とが１対１で対応するようになっている。
【００６３】
通信ケーブル１５２は、第２通信系統ＣＳ２を構成しており、第２冷媒系統ＲＳ２を構成する液管ＬＰ２又はガス管ＧＰ２に沿って延びている。これにより、第２冷媒系統ＲＳ２と第２通信系統ＣＳ２とが１対１で対応するようになっている。
【００６４】
通信ケーブル１５３は、第３通信系統ＣＳ３を構成しており、第３冷媒系統ＲＳ３を構成する液管ＬＰ３又はガス管ＧＰ３に沿って延びている。これにより、第３冷媒系統ＲＳ３と第３通信系統ＣＳ３とが１対１で対応するようになっている。
【００６５】
通信ケーブル１５４は、第４通信系統ＣＳ４を構成しており、第４冷媒系統ＲＳ４を構成する液管ＬＰ４又はガス管ＧＰ４に沿って延びている。これにより、第４冷媒系統ＲＳ４と第４通信系統ＣＳ４とが１対１で対応するようになっている。
【００６６】
上記態様の通信ケーブル１５０と中間ユニット制御部１３１とが接続されることで、中間ユニット１３０内では複数の通信系統ＣＳが構成されている。
【００６７】
中間ユニット制御部１３１は、各通信系統ＣＳを用いて、所定のプロトコルに基づき、室外ユニット制御部１１１及び各室内ユニット制御部１２１と信号の送受信を行う。中間ユニット制御部１３１は、受信した信号や状況に応じて、第１電動弁Ｅｖ１、第２電動弁Ｅｖ２及び第３電動弁Ｅｖ３の開閉を制御する。
【００６８】
また、中間ユニット制御部１３１は、室外ユニット制御部１１１及び各室内ユニット制御部１２１との間で送受信される信号を、そのまま転送するか或いは所定のデータ形式に変換して送出する。すなわち、中間ユニット制御部１３１は、室外ユニット１１０（室外ユニット制御部１１１）及び各室内ユニット１２０（室内ユニット制御部１２１）との間で送受信される信号を中継する役割を担っている。
【００６９】
中間ユニット制御部１３１の詳細については、後述の「（３）中間ユニット制御部１３１の詳細」において説明する。
【００７０】
（１−３−４）切換部８０
切換部８０（第１切換部８１、第２切換部８２、第３切換部８３及び第４切換部８４）は、電磁リレーである。各切換部８０は、通信ケーブル１５１、１５２、１５３又は１５４のいずれかに配置されて、各通信系統ＣＳの導通及び遮断を切り換える。より詳細には、各切換部８０は、中間ユニット制御部１３１と電気的に接続されており、中間ユニット制御部１３１から所定の駆動電圧を供給されることでオン状態とオフ状態とを切り換えられる。なお、本実施形態では、切換部８０は、駆動電圧を供給されていない時にはオン状態（通信系統ＣＳを導通する状態）となり、駆動電圧を供給されている時にはオフ状態（通信系統ＣＳを遮断する状態）となる。
【００７１】
具体的に、第１切換部８１は、通信ケーブル１５１上に配置されており、第１通信系統ＣＳ１の導通及び遮断を切り換える。第２切換部８２は、通信ケーブル１５２上に配置されており、第２通信系統ＣＳ２の導通及び遮断を切り換える。第３切換部８３は、通信ケーブル１５３上に配置されており、第３通信系統ＣＳ３の導通及び遮断を切り換える。第４切換部８４は、通信ケーブル１５４上に配置されており、第４通信系統ＣＳ４の導通及び遮断を切り換える。
【００７２】
（１−４）冷媒系統ＲＳ
上述のように、空調システム１００では、中間ユニット１３０内においてＢＳユニット７０が配設されることで、複数の冷媒系統ＲＳ（第１冷媒系統ＲＳ１、第２冷媒系統ＲＳ２、第３冷媒系統ＲＳ３、第４冷媒系統ＲＳ４）が構成されている。各冷媒系統ＲＳは、複数の室内ユニット１２０に接続されており、接続される各室内ユニット１２０と中間ユニット１３０との間で冷媒を送っている。
【００７３】
第１冷媒系統ＲＳ１は、中間ユニット１３０と、室内ユニット１２０ａ及び１２０ｂとの間で延びている。より詳細には、第１冷媒系統ＲＳ１は、第１ＢＳユニット７０ａと、室内ユニット１２０ａ及び１２０ｂとが、液管ＬＰ１及びガス管ＧＰ１で接続されて構成されている。換言すると、室内ユニット１２０ａ及び１２０ｂは、第１冷媒系統ＲＳ１を構成する液管ＬＰ１及びガス管ＧＰ１（特許請求の範囲記載の「冷媒配管」に相当）に接続されているともいえる。
【００７４】
第２冷媒系統ＲＳ２は、中間ユニット１３０と、室内ユニット１２０ｃ及び１２０ｄとの間で延びている。より詳細には、第２冷媒系統ＲＳ２は、第２ＢＳユニット７０ｂと、室内ユニット１２０ｃ及び１２０ｄとが、液管ＬＰ２及びガス管ＧＰ２で接続されて構成されている。換言すると、室内ユニット１２０ｃ及び１２０ｄは、第２冷媒系統ＲＳ２を構成する液管ＬＰ２及びガス管ＧＰ２（特許請求の範囲記載の「冷媒配管」に相当）に接続されているともいえる。
【００７５】
第３冷媒系統ＲＳ３は、中間ユニット１３０と、室内ユニット１２０ｅ及び１２０ｆとの間で延びている。より詳細には、第３冷媒系統ＲＳ３は、第３ＢＳユニット７０ｃと、室内ユニット１２０ｅ及び１２０ｆとが、液管ＬＰ３及びガス管ＧＰ３で接続されて構成されている。換言すると、室内ユニット１２０ｅ及び１２０ｆは、第３冷媒系統ＲＳ３を構成する液管ＬＰ３及びガス管ＧＰ３（特許請求の範囲記載の「冷媒配管」に相当）に接続されているともいえる。
【００７６】
第４冷媒系統ＲＳ４は、中間ユニット１３０と、室内ユニット１２０ｇ及び１２０ｈとの間で延びている。より詳細には、第４冷媒系統ＲＳ４は、第４ＢＳユニット７０ｄと、室内ユニット１２０ｇ及び１２０ｈとが、液管ＬＰ４及びガス管ＧＰ４で接続されて構成されている。換言すると、室内ユニット１２０ｇ及び１２０ｈは、第４冷媒系統ＲＳ４を構成する液管ＬＰ４及びガス管ＧＰ４（特許請求の範囲記載の「冷媒配管」に相当）に接続されているともいえる。
【００７７】
（１−５）通信系統ＣＳ
上述のように、空調システム１００では、中間ユニット１３０内において複数の通信系統ＣＳ（第１通信系統ＣＳ１、第２通信系統ＣＳ２、第３通信系統ＣＳ３、第４通信系統ＣＳ４）が構成されている。各通信系統ＣＳは、接続される各室内ユニット制御部１２１と、中間ユニット制御部１３１との間で送受信される信号を送る。
【００７８】
第１通信系統ＣＳ１は、中間ユニット１３０と、室内ユニット１２０ａ及び１２０ｂとの間で延びている。より詳細には、第１通信系統ＣＳ１は、中間ユニット制御部１３１と、室内ユニット制御部１２１ａ及び１２１ｂとが、通信ケーブル１５１（１５０）で接続されて構成されている。換言すると、室内ユニット制御部１２１ａ及び１２１ｂは、第１通信系統ＣＳ１を構成する通信ケーブル１５１（特許請求の範囲記載の「伝送路」に相当）に接続されているともいえる。第１通信系統ＣＳ１は、第１冷媒系統ＲＳ１と１対１で対応付けられている。すなわち、第１通信系統ＣＳ１と第１冷媒系統ＲＳ１とは、接続される室内ユニット１２０が同一である。その結果、第１通信系統ＣＳ１を用いて第１冷媒系統ＲＳ１における冷媒の流れが制御される。
【００７９】
第２通信系統ＣＳ２は、中間ユニット１３０と、室内ユニット１２０ｃ及び１２０ｄとの間で延びている。より詳細には、第２通信系統ＣＳ２は、中間ユニット制御部１３１と、室内ユニット制御部１２１ｃ及び１２１ｄとが、通信ケーブル１５２（１５０）で接続されて構成されている。換言すると、室内ユニット制御部１２１ｃ及び１２１ｄは、第２通信系統ＣＳ２を構成する通信ケーブル１５２（特許請求の範囲記載の「伝送路」に相当）に接続されているともいえる。第２通信系統ＣＳ２は、第２冷媒系統ＲＳ２と１対１で対応付けられている。すなわち、第２通信系統ＣＳ２と第２冷媒系統ＲＳ２とは、接続される室内ユニット１２０が同一である。その結果、第２通信系統ＣＳ２を用いて第２冷媒系統ＲＳ２における冷媒の流れが制御される。
【００８０】
第３通信系統ＣＳ３は、中間ユニット１３０と、室内ユニット１２０ｅ及び１２０ｆとの間で延びている。より詳細には、第３通信系統ＣＳ３は、中間ユニット制御部１３１と、室内ユニット制御部１２１ｅ及び１２１ｆとが、通信ケーブル１５３（１５０）で接続されて構成されている。換言すると、室内ユニット制御部１２１ｅ及び１２１ｆは、第３通信系統ＣＳ３を構成する通信ケーブル１５３（特許請求の範囲記載の「伝送路」に相当）に接続されているともいえる。第３通信系統ＣＳ３は、第３冷媒系統ＲＳ３と１対１で対応付けられている。すなわち、第３通信系統ＣＳ３と第３冷媒系統ＲＳ３とは、接続される室内ユニット１２０が同一である。その結果、第３通信系統ＣＳ３を用いて第３冷媒系統ＲＳ３における冷媒の流れが制御される。
【００８１】
第４通信系統ＣＳ４は、中間ユニット１３０と、室内ユニット１２０ｇ及び１２０ｈとの間で延びている。より詳細には、第３通信系統ＣＳ３は、中間ユニット制御部１３１と、室内ユニット制御部１２１ｇ及び１２１ｈとが、通信ケーブル１５４（１５０）で接続されて構成されている。換言すると、室内ユニット制御部１２１ｇ及び１２１ｈは、第４通信系統ＣＳ４を構成する通信ケーブル１５４（特許請求の範囲記載の「伝送路」に相当）に接続されているともいえる。第４通信系統ＣＳ４は、第４冷媒系統ＲＳ４と１対１で対応付けられている。すなわち、第４通信系統ＣＳ４と第４冷媒系統ＲＳ４とは、接続される室内ユニット１２０が同一である。その結果、第４通信系統ＣＳ４を用いて第４冷媒系統ＲＳ４における冷媒の流れが制御される。
【００８２】
（２）空調システム１００における冷媒の流れ
以下、空調システム１００運転中における冷媒の流れについて、第１冷媒系統ＲＳ１に接続された室内ユニット１２０ａと、第２冷媒系統ＲＳ２に接続された１２０ｃが運転中である場合を例にとって、状況別に説明する。なお、説明を簡略化するために、他の室内ユニット１２０（１２０ｂ及び１２０ｄ〜１２０ｈ）は停止状態にあるものとする。
【００８３】
（２−１）室内ユニット１２０ａ及び１２０ｃの双方が冷房運転を行う場合
係る場合には、第１ＢＳユニット７０ａ及び第２ＢＳユニット７０ｂにおいて、第１電動弁Ｅｖ１は最大開度とされ、第２電動弁Ｅｖ２は最小開度とされる。また、室内ユニット１２０ａ及び１２０ｂの各室内膨張弁５１は適切な開度で開けられ、第１室外膨張弁３４及び第２室外膨張弁３５は最大開度とされる。
【００８４】
当該状態で圧縮機２５が駆動すると、圧縮機２５により圧縮された高圧のガス冷媒は、吐出配管２５２、第１流路切換弁２６及び第３流路切換弁２８等を経て、室外熱交換器３０に流入して凝縮する。室外熱交換器３０において凝縮した冷媒は、液側閉鎖弁２３等を通過して液連絡管１１に流入する。液連絡管１１に流入した冷媒は、やがて中間ユニット１３０の第３ヘッダ５７に到達して、第１ＢＳユニット７０ａ及び第２ＢＳユニット７０ｂの配管Ｐ１へ流入する。
【００８５】
配管Ｐ１へ流入した冷媒は、配管Ｐ２や液管ＬＰ等を経て、室内ユニット１２０ａ及び１２０ｃに到達し、室内膨張弁５１に流入して減圧される。減圧された冷媒は、室内熱交換器５２に流入して蒸発する。蒸発した冷媒は、ガス管ＧＰを経て、第１ＢＳユニット７０ａ及び第２ＢＳユニット７０ｂの配管Ｐ３に流入する。
【００８６】
配管Ｐ３に流入した冷媒は、配管Ｐ４を流れて第２ヘッダ５６に到達する。第２ヘッダ５６に到達した冷媒は、ガス連絡管１２を経て、室外ユニット１１０に流入し、圧縮機２５へ吸入される。
【００８７】
（２−２）室内ユニット１２０ａ及び１２０ｃの双方が暖房運転を行う場合
係る場合には、第１ＢＳユニット７０ａ及び第２ＢＳユニット７０ｂにおいて、第１電動弁Ｅｖ１は最小開度とされ、第２電動弁Ｅｖ２は最大開度とされる。また、室内ユニット１２０ａ及び１２０ｃの室内膨張弁５１は最大開度とされ、第１室外膨張弁３４及び第２室外膨張弁３５は適切な開度で開けられる。
【００８８】
当該状態で圧縮機２５が駆動すると、圧縮機２５により圧縮された高圧のガス冷媒は、吐出配管２５２及び第２流路切換弁２７等を経て、高低圧ガス連絡管１３に流入する。高低圧ガス連絡管１３に流入した冷媒は、やがて中間ユニット１３０の第１ヘッダ５５に到達する。第１ヘッダ５５に到達した冷媒は、第１ＢＳユニット７０ａ及び第２ＢＳユニット７０ｂの配管Ｐ６に流入し、配管Ｐ５及び配管Ｐ３等を流れて、ガス管ＧＰに流入する。
【００８９】
ガス管ＧＰに流入した冷媒は、室内ユニット１２０ａ及び１２０ｃに到達し、各室内熱交換器５２に流入して凝縮する。凝縮した冷媒は、液管ＬＰを経て、第１ＢＳユニット７０ａ又は第２ＢＳユニット７０ｂの配管Ｐ２に流入する。配管Ｐ２に流入した冷媒は、配管Ｐ１等を経て、第３ヘッダ５７に到達する。第３ヘッダ５７に到達した冷媒は、液連絡管１１を経て室外ユニット１１０に流入する。
【００９０】
室外ユニット１１０に流入した冷媒は、第１室外膨張弁３４又は第２室外膨張弁３５において減圧される。減圧された冷媒は、室外熱交換器３０に流入して、室外熱交換器３０を通過する際に蒸発する。蒸発した冷媒は、第１流路切換弁２６又は第３流路切換弁２８等を経て、圧縮機２５に吸入される。
【００９１】
（２−３）室内ユニット１２０ａ及び１２０ｃのいずれか一方が冷房運転を行うとともに他方が暖房運転を行う場合
係る場合には、第１ＢＳユニット７０ａ及び第２ＢＳユニット７０ｂのうち冷房運転を行っている室内ユニット１２０（以下、「一方の室内ユニット１２０」と記載）に対応するＢＳユニット７０（以下、「一方のＢＳユニット７０」と記載）においては、第１電動弁Ｅｖ１が最大開度とされるとともに第２電動弁Ｅｖ２が最小開度とされ、第３電動弁Ｅｖ３が適切な開度で開けられる。また、一方の室内ユニット１２０の室内膨張弁５１が適切な開度で開けられる。これに対し、第１ＢＳユニット７０ａ及び第３ＢＳユニット７０ｃのうち暖房運転を行っている室内ユニット１２０（以下、「他方の室内ユニット１２０」と記載）に対応するＢＳユニット７０（以下、「他方のＢＳユニット７０」と記載）においては、第１電動弁Ｅｖ１が全閉とされるともに、第２電動弁Ｅｖ２が最大開度とされる。また、他方の室内ユニット１２０の室内膨張弁５１が最大開度とされる。また、第１室外膨張弁３４及び第２室外膨張弁３５は、過冷却度が目標値となるように適切な開度で開けられる。
【００９２】
当該状態で圧縮機２５が駆動すると、圧縮機２５により圧縮された高圧のガス冷媒は、吐出配管２５２及び第２流路切換弁２７等を経て、高低圧ガス連絡管１３に流入する。高低圧ガス連絡管１３に流入した冷媒は、やがて中間ユニット１３０の第１ヘッダ５５に到達する。第１ヘッダ５５に到達した冷媒は、他方のＢＳユニット７０内の配管Ｐ６、配管Ｐ５及び配管Ｐ３等を流れて、ガス管ＧＰに流入する。
【００９３】
ガス管ＧＰに流入した冷媒は、他方の室内ユニット１２０に到達し、室内熱交換器５２に流入して凝縮する。凝縮した冷媒は、液管ＬＰを経て、他方のＢＳユニット７０内の配管Ｐ２に流入する。配管Ｐ２に流入した冷媒は、配管Ｐ１等を経て、第３ヘッダ５７に到達する。
【００９４】
第３ヘッダ５７に到達した冷媒は、一方のＢＳユニット７０内の配管Ｐ１に流入する。配管Ｐ１に流入した冷媒は、過冷却熱交換部５９の第１流路５９１を通過し、配管Ｐ２及び液管ＬＰを経て、一方の室内ユニット１２０に到達する。
【００９５】
一方の室内ユニット１２０に到達した冷媒は、室内膨張弁５１に流入して減圧される。減圧された冷媒は、室内熱交換器５２に流入して蒸発する。蒸発した冷媒は、ガス管ＧＰを経て、一方のＢＳユニット７０の配管Ｐ３に流入する。配管Ｐ３に流入した冷媒は、配管Ｐ４を流れて第２ヘッダ５６に到達する。
【００９６】
第２ヘッダ５６に到達した冷媒の一部は、ガス連絡管１２を経て、室外ユニット１１０に流入し、圧縮機２５へ吸入される。一方、第２ヘッダ５６に到達した冷媒のその他は、接続配管５８１を介して第４ヘッダ５８に流入する。
【００９７】
第４ヘッダ５８に流入した冷媒は、一方のＢＳユニット７０の配管Ｐ７に流入する。配管Ｐ７に流入した冷媒は、過冷却熱交換部５９の第２流路５９２に流入する。第２流路５９２に流入した冷媒は、第２流路５９２を通過する際、第１流路５９１を通過する冷媒と熱交換を行い、第１流路５９１を通過する冷媒を冷却する。これにより、第１流路５９１を流れる冷媒は、過冷却がついた状態となる。第２流路５９２を通過した冷媒は、配管Ｐ８及び配管Ｐ９を経て、配管Ｐ１内を流れる冷媒に合流する。
【００９８】
（３）中間ユニット制御部１３１の詳細
以下、中間ユニット制御部１３１の詳細について説明する。図５は、中間ユニット制御部１３１の概略構成図である。
【００９９】
中間ユニット制御部１３１は、制御モードとして初期設定モード及び通常モードを有している。初期設定モードは電源投入時に遷移する制御モードである。また、通常モードは、通常時の処理を制御する制御モードであり、具体的に、初期設定モードにおいてアドレス登録処理（後述）が完了した後に遷移する制御モードである。
【０１００】
中間ユニット制御部１３１は、配線を介して、各ＢＳユニット７０（７０ａ、７０ｂ、７０ｃ、７０ｄ）の各電動弁（ＥＶ１、ＥＶ２、ＥＶ３）と、各切換部８０（第１切換部８１、第２切換部８２、第３切換部８３、第４切換部８４）と接続されている。中間ユニット制御部１３１は、主として、記憶部９１と、第１通信部９２と、第２通信部９３と、第１通信制御部９４と、第２通信制御部９５と、ＢＳユニット制御部９６と、初期設定部９７とを含む。
【０１０１】
（３−１）記憶部９１
記憶部９１は、ＲＯＭやＲＡＭ等のメモリを含み、揮発性の記憶領域と不揮発性の記憶領域とを有している。記憶部９１は、中間ユニット制御部１３１内の各部において適用される制御プログラムを保持している。当該制御プログラムには、中間ユニット制御部１３１内における各部の処理がプログラミングされている。また、記憶部９１には、初期設定モード時に、室外ユニット制御部１１１によって設定された自己（中間ユニット１３０）の通信アドレスが格納される。
【０１０２】
また、記憶部９１には、初期設定モード時に、各室内ユニット１２０の通信アドレスと、各室内ユニット１２０がいずれの通信系統ＣＳ（冷媒系統ＲＳ）に接続されているかを特定する系統特定情報と、が格納される。系統特定情報は、いずれかの通信系統ＣＳ（冷媒系統ＲＳ）を特定する情報である。すなわち、記憶部９１には、各通信アドレスと通信系統ＣＳ（冷媒系統ＲＳ）とを関連付ける情報が格納される。系統特定情報は、アドレス設定処理（後述）後のアドレス登録処理（後述）において通信アドレスに付加される。
【０１０３】
また、記憶部９１はいわゆるワーキングメモリとしても機能し、各部から出力された信号が記憶部９１の所定の領域に格納される。
【０１０４】
（３−２）第１通信部９２
第１通信部９２は、通信ケーブル１１２に接続された通信回路ユニットである。第１通信部９２は、通信ケーブル１１２から信号を受信する受信回路（図示省略）と、通信ケーブル１１２に信号を送信する送信回路（図示省略）とを含む。第１通信部９２において、受信回路は、第１通信制御部９４及び初期設定部９７と接続されており、受信した信号が第１通信制御部９４及び初期設定部９７に出力されるように構成されている。また、送信回路は第１通信制御部９４及び初期設定部９７と接続されており、第１通信制御部９４及び初期設定部９７から出力された信号を通信ケーブル１１２に送信するように構成されている。
【０１０５】
（３−３）第２通信部９３
第２通信部９３は、通信ケーブル１５０に接続された通信回路ユニットである。第２通信部９３は、通信ケーブル１５０から信号を受信する受信回路（図示省略）と、通信ケーブル１５０に信号を送信する送信回路（図示省略）とを含む。第１通信部９２において、受信回路は、第２通信制御部９５及び初期設定部９７と接続されており、受信した信号が第２通信制御部９５及び初期設定部９７に出力されるように構成されている。また、送信回路は第２通信制御部９５及び初期設定部９７と接続されており、第２通信制御部９５及び初期設定部９７から出力された信号を通信ケーブル１５０に送信するように構成されている。
【０１０６】
（３−４）第１通信制御部９４
第１通信制御部９４は、通常モードにおいて、室外ユニット制御部１１１との通信を統括的に制御する。具体的に、第１通信制御部９４は、通常モードにおいて、室外ユニット制御部１１１から信号を受信すると、信号の宛先通信アドレスを確認し、当該信号を宛先通信アドレスに基づき記憶部９１の所定の記憶領域に格納する。また、第１通信制御部９４は、通常モードにおいて、記憶部９１に室外ユニット制御部１１１宛の信号が格納されるとこれを取得し、必要に応じてデータを変換して室外ユニット制御部１１１に送信する。なお、第１通信制御部９４は、初期設定モードにおいては特に処理を実行せず、制御モードを初期設定モードから通常モードに遷移する情報が記憶部９１に格納されてから処理を開始する。
【０１０７】
（３−５）第２通信制御部９５
第２通信制御部９５は、通常モードにおいて、各室内ユニット制御部１２１との通信を統括的に制御する。具体的に、第２通信制御部９５は、通常モードにおいて、いずれかの室内ユニット制御部１２１から信号を受信すると、信号の宛先通信アドレスを確認し、当該信号を宛先通信アドレスに基づき記憶部９１の所定の記憶領域に格納する。また、第２通信制御部９５は、通常モードにおいて、記憶部９１にいずれかの室内ユニット制御部１２１宛の信号が格納されるとこれを取得し、必要に応じてデータを変換して宛先の室内ユニット制御部１２１に送信する。なお、第２通信制御部９５は、初期設定モードにおいては特に処理を実行せず、制御モードを初期設定モードから通常モードに遷移する情報が記憶部９１に格納されてから処理を開始する。
【０１０８】
（３−６）ＢＳユニット制御部９６
ＢＳユニット制御部９６は、記憶部９１に所定の信号が格納されるとこれを取得し、状況に応じて、各ＢＳユニット７０の各電動弁（ＥＶ１、Ｅｖ２、ＥＶ３）の動作を制御する。
【０１０９】
ＢＳユニット制御部９６は、第１ＢＳユニット制御部と、第２ＢＳユニット制御部と、第３ＢＳユニット制御部と、第４ＢＳユニット制御部とを含んでいる（図示省略）。具体的に、第１ＢＳユニット制御部は、第１ＢＳユニット７０ａ内の電動弁の動作を制御する。第２ＢＳユニット制御部は、第２ＢＳユニット７０ｂ内の電動弁の動作を制御する。第３ＢＳユニット制御部は、第３ＢＳユニット７０ｃ内の電動弁の動作を制御する。第４ＢＳユニット制御部は、第４ＢＳユニット７０ｄ内の電動弁の動作を制御する。
【０１１０】
（３−７）初期設定部９７
初期設定部９７は、初期設定モードにおいて、アドレス取得処理と、アドレス設定処理と、アドレス登録処理とを実行する。なお、初期設定部９７は、タイマー機能を備えており、時間を計測可能である。
【０１１１】
初期設定部９７は、電源投入時に、室外ユニット制御部１１１から送信されたアドレス設定信号を受信すると、アドレス取得処理を行う。具体的に、初期設定部９７は、当該アドレス設定信号に含まれる通信アドレスデータを解読して自己（中間ユニット制御部１３１）の通信アドレスとして記憶部９１に格納する。初期設定部９７は、アドレス取得処理完了後、アドレス設定処理を行う。
【０１１２】
初期設定部９７は、アドレス設定処理において、第２通信部９３を介して通信ケーブル１５０にアドレス設定報知信号をブロードキャストで送信する。その後、アドレス設定報知信号を送信してから所定時間内に、１以上のアドレス設定要求信号を第２通信部９３を介して受信すると、初期設定部９７は各室内ユニット１２０に対して通信アドレスを設定する。なお、通信アドレスの設定は、固有の通信アドレスデータを含むアドレス設定信号が、第２通信部９３を介して初期設定部９７から各室内ユニット１２０に対して送信されることによって行われる。初期設定部９７は、アドレス設定報知信号を送信してから所定時間が経過するとアドレス設定処理を完了し、アドレス登録処理を開始する。
【０１１３】
アドレス登録処理は、各室内ユニット１２０がいずれの通信系統ＣＳ（冷媒系統ＲＳ）に接続されているかを特定し、特定した通信系統ＣＳ（冷媒系統ＲＳ）を示す情報（以下、系統特定情報と記載）を各室内ユニット１２０の通信アドレスに付加して登録する処理である。アドレス登録処理には、第１系統登録処理と、第２系統登録処理と、第３系統登録処理と、第４系統登録処理とが含まれる。なお、アドレス登録処理において各処理が実行される順序については特に限定されないが、本実施形態では、初期設定部９７が、第１系統登録処理、第２系統登録処理、第３系統登録処理、第４系統登録処理の順に処理を実行することを想定している。
【０１１４】
第１系統登録処理は、第１通信系統ＣＳ１（第１冷媒系統ＲＳ１）に接続される室内ユニット１２０を特定して、当該室内ユニット１２０の通信アドレスに第１通信系統ＣＳ１（第１冷媒系統ＲＳ１）を示す系統特定情報を付加して、記憶部９１に登録する処理である。第２系統登録処理は、第２通信系統ＣＳ２（第２冷媒系統ＲＳ２）に接続される室内ユニット１２０を特定して、当該室内ユニット１２０の通信アドレスに第２通信系統ＣＳ２（第２冷媒系統ＲＳ２）を示す系統特定情報を付加して、記憶部９１に登録する処理である。第３系統登録処理は、第３通信系統ＣＳ３（第３冷媒系統ＲＳ３）に接続される室内ユニット１２０を特定して、当該室内ユニット１２０の通信アドレスに第３通信系統ＣＳ３（第３冷媒系統ＲＳ３）を示す系統特定情報を付加して、記憶部９１に登録する処理である。第４系統登録処理は、第４通信系統ＣＳ４（第４冷媒系統ＲＳ４）に接続される室内ユニット１２０を特定して、当該室内ユニット１２０の通信アドレスに第４通信系統ＣＳ４（第４冷媒系統ＲＳ４）を示す系統特定情報を付加して、記憶部９１に登録する処理である。
【０１１５】
初期設定部９７は、第１系統登録処理において、まず、第１切換部８１以外の切換部８０をオフ状態とする。具体的には、初期設定部９７は、第２切換部８２、第３切換部８３及び第４切換部８４に駆動電圧を供給して第２切換部８２、第３切換部８３及び第４切換部８４をオフ状態に切り換え、切換部８０のうち第１切換部８１のみをオン状態とする。次に、初期設定部９７は、第２通信部９３を介してアドレス登録報知信号をブロードキャストで送信する。これにより、第１通信系統ＣＳ１（第１冷媒系統ＲＳ１）に接続されたすべての室内ユニット１２０（本実施形態では室内ユニット制御部１２１ａ及び１２１ｂ）にアドレス登録報知信号が送信される。その後、アドレス登録報知信号を送信してから所定時間が経過する前にアドレス登録要求信号を受信すると、初期設定部９７は、当該アドレス登録要求信号を送信した各室内ユニット１２０の通信アドレスを示すデータに、系統特定情報を付加して記憶部９１に登録する。初期設定部９７は、アドレス登録要求信号を送信してから所定時間が経過する前に他のアドレス登録要求信号を受信した場合、同様の処理を行う。初期設定部９７は、アドレス登録要求信号を送信してから所定時間が経過すると、第１系統登録処理を完了して第２系統登録処理を開始する。
【０１１６】
初期設定部９７は、第２系統登録処理において、まず、第２切換部８２以外の切換部８０をオフ状態とする。具体的には、初期設定部９７は、第１切換部８１、第３切換部８３及び第４切換部８４に駆動電圧を供給して第１切換部８１、第３切換部８３及び第４切換部８４をオフ状態に切り換え、切換部８０のうち第２切換部８２のみをオン状態とする。次に、初期設定部９７は、第２通信部９３を介してアドレス登録報知信号をブロードキャストで送信する。これにより、第２通信系統ＣＳ２（第２冷媒系統ＲＳ２）に接続されたすべての室内ユニット１２０（本実施形態では室内ユニット制御部１２１ｃ及び１２１ｄ）にアドレス登録報知信号が送信される。その後、アドレス登録報知信号を送信してから所定時間が経過する前にアドレス登録要求信号を受信すると、初期設定部９７は、当該アドレス登録要求信号を送信した各室内ユニット１２０の通信アドレスを示すデータに、系統特定情報を付加して記憶部９１に登録する。初期設定部９７は、アドレス登録要求信号を送信してから所定時間が経過する前に他のアドレス登録要求信号を受信した場合、同様の処理を行う。初期設定部９７は、アドレス登録要求信号を送信してから所定時間が経過すると、第２系統登録処理を完了して第３系統登録処理を開始する。
【０１１７】
初期設定部９７は、第３系統登録処理において、まず、第３切換部８３以外の切換部８０をオフ状態とする。具体的には、初期設定部９７は、第１切換部８１、第２切換部８２及び第４切換部８４に駆動電圧を供給して第１切換部８１、第２切換部８２及び第４切換部８４をオフ状態に切り換え、切換部８０のうち第３切換部８３のみをオン状態とする。次に、初期設定部９７は、第２通信部９３を介してアドレス登録報知信号をブロードキャストで送信する。これにより、第３通信系統ＣＳ３（第３冷媒系統ＲＳ３）に接続されたすべての室内ユニット１２０（本実施形態では室内ユニット制御部１２１ｅ及び１２１ｆ）にアドレス登録報知信号が送信される。その後、アドレス登録報知信号を送信してから所定時間が経過する前にアドレス登録要求信号を受信すると、初期設定部９７は、当該アドレス登録要求信号を送信した各室内ユニット１２０の通信アドレスを示すデータに、系統特定情報を付加して記憶部９１に登録する。初期設定部９７は、アドレス登録要求信号を送信してから所定時間が経過する前に他のアドレス登録要求信号を受信した場合、同様の処理を行う。初期設定部９７は、アドレス登録要求信号を送信してから所定時間が経過すると、第３系統登録処理を完了して第４系統登録処理を開始する。
【０１１８】
初期設定部９７は、第４系統登録処理において、まず、第４切換部８４以外の切換部８０をオフ状態とする。具体的には、初期設定部９７は、第１切換部８１、第２切換部８２及び第３切換部８３に駆動電圧を供給して第１切換部８１、第２切換部８２及び第３切換部８３をオフ状態に切り換え、切換部８０のうち第４切換部８４のみをオン状態とする。次に、初期設定部９７は、第２通信部９３を介してアドレス登録報知信号をブロードキャストで送信する。これにより、第４通信系統ＣＳ４（第４冷媒系統ＲＳ４）に接続されたすべての室内ユニット１２０（本実施形態では室内ユニット制御部１２１ｇ及び１２１ｈ）にアドレス登録報知信号が送信される。その後、アドレス登録報知信号を送信してから所定時間が経過する前にアドレス登録要求信号を受信すると、初期設定部９７は、当該アドレス登録要求信号を送信した各室内ユニット１２０の通信アドレスを示すデータに、系統特定情報を付加して記憶部９１に登録する。初期設定部９７は、アドレス登録要求信号を送信してから所定時間が経過する前に他のアドレス登録要求信号を受信した場合、同様の処理を行う。初期設定部９７は、アドレス登録要求信号を送信してから所定時間が経過すると、第４系統登録処理を完了し、全ての切換部８０をオン状態とする。そして、初期設定部９７は、制御モードを初期設定モードから通常モードに遷移する情報を記憶部９１に格納する。
【０１１９】
また、初期設定部９７は、記憶部９１に登録した各室内ユニット１２０（室内ユニット制御部１２１）の通信アドレスを室外ユニット１１０（室外ユニット制御部１１１）に送信する。また、初期設定部９７は、室外ユニット１１０の通信アドレスを各室内ユニット１２０に送信する。
【０１２０】
（４）アドレス設定処理及びアドレス登録処理の制御の流れ
以下、図６を参照して、中間ユニット制御部１３１の初期設定モードにおける制御の流れの一例を説明する。図６は、中間ユニット制御部１３１の初期設定モードにおけるアドレス設定処理及びアドレス登録処理の流れを示したフローチャートである。
【０１２１】
中間ユニット制御部１３１は、空調システム１００の電源投入時に初期設定モードに遷移し、室外ユニット制御部１１１からアドレス設定信号を受けてアドレス取得処理が完了すると、ステップＳ１０１に進んでアドレス設定処理を実行する。
【０１２２】
ステップＳ１０１において、中間ユニット制御部１３１は、アドレス設定報知信号を各室内ユニット１２０（室内ユニット制御部１２１）に送信する。その後、ステップＳ１０２へ進む。
【０１２３】
ステップＳ１０２において、中間ユニット制御部１３１は、アドレス設定報知信号を送信してからアドレス設定要求信号を受信することなく所定時間が経過したか否かを判定する。当該判定がＮＯの場合（すなわち、アドレス設定要求信号を受信することなく所定時間が経過した場合）には、ステップＳ１０４へ進む。一方、当該判定がＹＥＳの場合（すなわち、所定時間が経過する前にアドレス設定要求信号を受信した場合）には、ステップＳ１０３へ進む。
【０１２４】
ステップＳ１０３において、中間ユニット制御部１３１は、各室内ユニット１２０に対してアドレス設定信号を送信する。その後、ステップＳ１０４へ進む。
【０１２５】
ステップＳ１０４において、中間ユニット制御部１３１は、第１系統登録処理を開始する。まず、中間ユニット制御部１３１は、第２切換部８２、第３切換部８３及び第４切換部８４をオフ状態として、第１切換部８１のみをオン状態とする。その後、中間ユニット制御部１３１は、アドレス登録報知信号を第１通信系統ＣＳ１（第１冷媒系統ＲＳ１）に接続された室内ユニット１２０に対して送信する。そして、ステップＳ１０５へ進む。
【０１２６】
ステップＳ１０５において、中間ユニット制御部１３１は、アドレス登録報知信号を送信してから所定時間内にアドレス登録要求信号を受信したか否か、又はアドレス登録報知信号を送信してから所定時間が経過したか否かを判定する。当該判定がＮＯの場合（すなわち、アドレス登録要求信号を受信することなく所定時間が経過した場合、もしくはアドレス登録報知信号を送信してから所定時間が経過した場合）には、ステップＳ１０７へ進む。一方、当該判定がＹＥＳの場合（すなわち、所定時間が経過する前にアドレス登録要求信号を受信した場合）には、ステップＳ１０６へ進む。
【０１２７】
ステップＳ１０６において、中間ユニット制御部１３１は、アドレス登録要求信号を送信した室内ユニット１２０が第１通信系統ＣＳ１（第１冷媒系統ＲＳ１）に接続されていると判断し、当該室内ユニット１２０の通信アドレスに第１通信系統ＣＳ１（第１冷媒系統ＲＳ１）を示す系統特定情報を付加して記憶部９１に登録する。そして、ステップＳ１０５に戻る。
【０１２８】
ステップＳ１０７において、中間ユニット制御部１３１は、第２系統登録処理を開始する。まず、中間ユニット制御部１３１は、第１切換部８１、第３切換部８３及び第４切換部８４をオフ状態として、第２切換部８２のみをオン状態とする。その後、中間ユニット制御部１３１は、アドレス登録報知信号を第２通信系統ＣＳ２（第２冷媒系統ＲＳ２）に接続された室内ユニット１２０に対して送信する。そして、ステップＳ１０８へ進む。
【０１２９】
ステップＳ１０８において、中間ユニット制御部１３１は、ステップＳ１０５と同様の判定を行う。当該判定がＮＯの場合には、ステップＳ１１０へ進む。一方、当該判定がＹＥＳの場合には、ステップＳ１０９へ進む。
【０１３０】
ステップＳ１０９において、中間ユニット制御部１３１は、アドレス登録要求信号を送信した室内ユニット１２０が第２通信系統ＣＳ２（第２冷媒系統ＲＳ２）に接続されていると判断し、当該室内ユニット１２０の通信アドレスに第２通信系統ＣＳ２（第２冷媒系統ＲＳ２）を示す系統特定情報を付加して記憶部９１に登録する。そして、ステップＳ１０８に戻る。
【０１３１】
ステップＳ１１０において、中間ユニット制御部１３１は、第３系統登録処理を開始する。まず、中間ユニット制御部１３１は、第１切換部８１、第２切換部８２及び第４切換部８４をオフ状態として、第３切換部８３のみをオン状態とする。その後、中間ユニット制御部１３１は、アドレス登録報知信号を第３通信系統ＣＳ３（第３冷媒系統ＲＳ３）に接続された室内ユニット１２０に対して送信する。そして、ステップＳ１１１へ進む。
【０１３２】
ステップＳ１１１において、中間ユニット制御部１３１は、ステップＳ１０５と同様の判定を行う。当該判定がＮＯの場合には、ステップＳ１１３へ進む。一方、当該判定がＹＥＳの場合には、ステップＳ１１２へ進む。
【０１３３】
ステップＳ１１２において、中間ユニット制御部１３１は、アドレス登録要求信号を送信した室内ユニット１２０が第３通信系統ＣＳ３（第３冷媒系統ＲＳ３）に接続されていると判断し、当該室内ユニット１２０の通信アドレスに第３通信系統ＣＳ３（第３冷媒系統ＲＳ３）を示す系統特定情報を付加して記憶部９１に登録する。そして、ステップＳ１１１に戻る。
【０１３４】
ステップＳ１１３において、中間ユニット制御部１３１は、第４系統登録処理を開始する。まず、中間ユニット制御部１３１は、第１切換部８１、第２切換部８２及び第３切換部８３をオフ状態として、第４切換部８４のみをオン状態とする。その後、中間ユニット制御部１３１は、アドレス登録報知信号を第４通信系統ＣＳ４（第４冷媒系統ＲＳ４）に接続された室内ユニット１２０に対して送信する。そして、ステップＳ１１４へ進む。
【０１３５】
ステップＳ１１４において、中間ユニット制御部１３１は、ステップＳ１０５と同様の判定を行う。当該判定がＮＯの場合には、ステップＳ１１６へ進む。一方、当該判定がＹＥＳの場合には、ステップＳ１１５へ進む。
【０１３６】
ステップＳ１１５において、中間ユニット制御部１３１は、アドレス登録要求信号を送信した室内ユニット１２０が第４通信系統ＣＳ４（第４冷媒系統ＲＳ４）に接続されていると判断し、当該室内ユニット１２０の通信アドレスに第４通信系統ＣＳ４（第４冷媒系統ＲＳ４）を示す系統特定情報を付加して記憶部９１に登録する。そして、ステップＳ１１４に戻る。
【０１３７】
ステップＳ１１６において、中間ユニット制御部１３１は、全ての切換部８０をオン状態とする。その後、中間ユニット制御部１３１は、初期設定モードから通常モードに制御モードが遷移する。
【０１３８】
（５）アドレス設定処理及びアドレス登録処理時における各部の動作
以下、図７及び図８を参照して、アドレス設定処理及びアドレス登録処理時における各部の動作の一例を説明する。図７及び図８は、アドレス設定処理及びアドレス登録処理時における各部の動作を示したシーケンス図である。なお、図７及び図８においては、アドレス設定報知信号を「設定報知」、アドレス設定要求信号を「設定要求」、アドレス設定信号を「アドレス設定」、アドレス登録報知信号を「登録報知」、アドレス登録要求信号を「登録要求」と記載している。
【０１３９】
図７に示すように、中間ユニット制御部１３１は、アドレス設定処理において、室内ユニット制御部１２１ａ、１２１ｂ、１２１ｃ、１２１ｄ、１２１ｅ、１２１ｆ、１２１ｇ及び１２１ｈに対してアドレス設定報知信号を送信する。アドレス設定報知信号を受けた室内ユニット制御部１２１ａ、１２１ｂ、１２１ｃ、１２１ｄ、１２１ｅ、１２１ｆ、１２１ｇ及び１２１ｈは、アドレス設定要求信号を中間ユニット制御部１３１に送信する（この時点において、いずれの室内ユニット制御部１２１も未だアドレス設定がなされていないものとする）。
【０１４０】
アドレス設定要求信号を受けた中間ユニット制御部１３１は、室内ユニット制御部１２１ａ、１２１ｂ、１２１ｃ、１２１ｄ、１２１ｅ、１２１ｆ、１２１ｇ及び１２１ｈに対して、個別の通信アドレスデータを含むアドレス設定信号を送信する。アドレス設定信号を受信した室内ユニット制御部１２１ａ、１２１ｂ、１２１ｃ、１２１ｄ、１２１ｅ、１２１ｆ、１２１ｇ及び１２１ｈは、当該アドレス設定信号に含まれる自己の通信アドレスを解読して、所定の記憶領域に格納する（図示省略）。
【０１４１】
アドレス設定処理が完了すると、中間ユニット制御部１３１は、第１系統登録処理を開始する。中間ユニット制御部１３１は、第１系統登録処理において、第２切換部８２、第３切換部８３及び第４切換部８４をオフ状態とし、第１切換部８１のみをオン状態とする。そして、中間ユニット制御部１３１は、第１通信系統ＣＳ１（第１冷媒系統ＲＳ１）に接続された室内ユニット制御部１２１ａ及び１２１ｂに対してアドレス登録報知信号を送信する。アドレス登録報知信号を受けた室内ユニット制御部１２１ａ及び１２１ｂは、アドレス登録要求信号を中間ユニット制御部１３１に送信する。アドレス登録要求信号を受けた中間ユニット制御部１３１は、室内ユニット制御部１２１ａ及び１２１ｂが第１通信系統ＣＳ１（第１冷媒系統ＲＳ１）に接続されていることを判別し、室内ユニット制御部１２１ａ及び１２１ｂの通信アドレスに第１通信系統ＣＳ１（第１冷媒系統ＲＳ１）を示す系統特定情報を付加して記憶部９１に登録する。すなわち、中間ユニット制御部１３１は、室内ユニット制御部１２１ａ及び１２１ｂの通信アドレスと第１冷媒系統ＲＳ１とを関連づけて記憶する。
【０１４２】
第１系統登録処理が完了すると、中間ユニット制御部１３１は、第２系統登録処理を開始する。中間ユニット制御部１３１は、第２系統登録処理において、第１切換部８１、第３切換部８３及び第４切換部８４をオフ状態とし、第２切換部８２のみをオン状態とする。そして、中間ユニット制御部１３１は、第２通信系統ＣＳ２（第２冷媒系統ＲＳ２）に接続された室内ユニット制御部１２１ｃ及び１２１ｄに対してアドレス登録報知信号を送信する。アドレス登録報知信号を受けた室内ユニット制御部１２１ｃ及び１２１ｄは、アドレス登録要求信号を中間ユニット制御部１３１に送信する。アドレス登録要求信号を受けた中間ユニット制御部１３１は、室内ユニット制御部１２１ｃ及び１２１ｄが第２通信系統ＣＳ２（第２冷媒系統ＲＳ２）に接続されていることを判別し、室内ユニット制御部１２１ｃ及び１２１ｄの通信アドレスに第２通信系統ＣＳ２（第２冷媒系統ＲＳ２）を示す系統特定情報を付加して記憶部９１に登録する。すなわち、中間ユニット制御部１３１は、室内ユニット制御部１２１ｃ及び１２１ｄの通信アドレスと第２冷媒系統ＲＳ２とを関連づけて記憶する。
【０１４３】
第２系統登録処理が完了すると、中間ユニット制御部１３１は、第３系統登録処理を開始する。中間ユニット制御部１３１は、第３系統登録処理において、第１切換部８１、第２切換部８２及び第４切換部８４をオフ状態とし、第３切換部８３のみをオン状態とする。そして、中間ユニット制御部１３１は、第３通信系統ＣＳ３（第３冷媒系統ＲＳ３）に接続された室内ユニット制御部１２１ｅ及び１２１ｆに対してアドレス登録報知信号を送信する。アドレス登録報知信号を受けた室内ユニット制御部１２１ｅ及び１２１ｆは、アドレス登録要求信号を中間ユニット制御部１３１に送信する。アドレス登録要求信号を受けた中間ユニット制御部１３１は、室内ユニット制御部１２１ｅ及び１２１ｆが第３通信系統ＣＳ３（第３冷媒系統ＲＳ３）に接続されていることを判別し、室内ユニット制御部１２１ｅ及び１２１ｆの通信アドレスに第３通信系統ＣＳ３（第３冷媒系統ＲＳ３）を示す系統特定情報を付加して記憶部９１に登録する。すなわち、中間ユニット制御部１３１は、室内ユニット制御部１２１ｅ及び１２１ｆの通信アドレスと第３冷媒系統ＲＳ３とを関連づけて記憶する。
【０１４４】
第３系統登録処理が完了すると、中間ユニット制御部１３１は、第４系統登録処理を開始する。中間ユニット制御部１３１は、第４系統登録処理において、第１切換部８１、第２切換部８２及び第３切換部８３をオフ状態とし、第４切換部８４のみをオン状態とする。そして、中間ユニット制御部１３１は、第４通信系統ＣＳ４（第４冷媒系統ＲＳ４）に接続された室内ユニット制御部１２１ｇ及び１２１ｈに対してアドレス登録報知信号を送信する。アドレス登録報知信号を受けた室内ユニット制御部１２１ｇ及び１２１ｈは、アドレス登録要求信号を中間ユニット制御部１３１に送信する。アドレス登録要求信号を受けた中間ユニット制御部１３１は、室内ユニット制御部１２１ｇ及び１２１ｈが第４通信系統ＣＳ４（第４冷媒系統ＲＳ４）に接続されていることを判別し、室内ユニット制御部１２１ｇ及び１２１ｈの通信アドレスに第４通信系統ＣＳ４（第４冷媒系統ＲＳ４）を示す系統特定情報を付加して記憶部９１に登録する。すなわち、中間ユニット制御部１３１は、室内ユニット制御部１２１ｇ及び１２１ｈの通信アドレスと第４冷媒系統ＲＳ４とを関連づけて記憶する。
【０１４５】
第４系統登録処理が完了すると、中間ユニット制御部１３１は、全ての切換部８０をオン状態とする。すなわち、中間ユニット制御部１３１は、アドレス登録処理完了後は、切換部８０を介して全ての通信系統ＣＳを導通させる。そして、中間ユニット制御部１３１は、初期設定モードから通常モードに遷移する。
【０１４６】
（６）特徴
（６−１）
上記実施形態では、各通信系統ＣＳは、対応する冷媒系統ＲＳに接続された室内ユニット１２０に接続されている。また、中間ユニット１３０は、各通信系統ＣＳに配置される切換部８０を含み、電源投入時に各切換部８０を介して各通信系統ＣＳの導通及び遮断を切り換えて各室内ユニット１２０が所属する通信系統ＣＳ（冷媒系統ＲＳ）を判別している。換言すると、中間ユニット１３０は、アドレス登録処理において、各室内ユニット１２０がいずれの通信系統ＣＳに接続されているかを判別することで、各室内ユニット１２０がいずれの冷媒系統ＲＳに接続されているかを特定している。その結果、複数の冷媒系統ＲＳ及び複数の通信系統ＣＳを含む空調システム１００において、初期設定に係る時間が短縮されている。
【０１４７】
（６−２）
上記実施形態では、中間ユニット１３０は、アドレス設定処理において各室内ユニット１２０に対して通信アドレスを設定してから、アドレス登録処理において、各室内ユニット１２０がいずれの通信系統ＣＳ（冷媒系統ＲＳ）に接続されているかを特定し、通信アドレスと通信系統ＣＳ（冷媒系統ＲＳ）を関連づけて記憶している。その結果、空調システム１００において、初期設定が円滑化されている。
【０１４８】
（６−３）
上記実施形態では、中間ユニット１３０は、アドレス登録処理後は、各切換部８０をオン状態として全ての通信系統ＣＳを導通する。すなわち、中間ユニット１３０は、初期設定モードにおいてのみ通信系統ＣＳの導通及び遮断を切り換えている。その結果、空調システム１００において、初期設定完了後、通信系統ＣＳの導通及び遮断等の特別な処理をすることなく、各室内ユニット１２０及び中間ユニット１３０間の通信を行うことが可能となっている。
【０１４９】
（６−４）
上記実施形態では、各通信系統ＣＳを構成する各通信ケーブル１５１、１５２、１５３及び１５４は、対応する冷媒系統ＲＳを構成する液管ＬＰ又はガス管ＧＰに沿って延びている。その結果、空調システム１００において、誤配線を抑制しつつ特定の冷媒系統ＲＳと対応づけて通信系統ＣＳが設けることが可能となっている。
【０１５０】
（６−５）
上記実施形態では、中間ユニット１３０は、いずれの通信系統ＣＳにも属さない通信ケーブル１１２を介して室外ユニット１１０と信号の送受信を行い、室外ユニット１１０及び各室内ユニット１２０間の通信において送受信される信号を中継している。その結果、空調システム１００において、室外ユニット１１０及び各室内ユニット１２０間を通信ケーブルで直接接続する必要がなく、簡単な構成にして、室外ユニット１１０及び各室内ユニット１２０間の通信を行えるようになっている。
【０１５１】
（７）変形例
（７−１）変形例Ａ
上記実施形態では、室外ユニット１１０及び中間ユニット１３０は１台ずつ配置されていた。しかし、これに限定されず、室外ユニット１１０及び中間ユニット１３０は２台以上あってもよい。
【０１５２】
また、上記実施形態では、各冷媒系統ＲＳ（通信系統ＣＳ）は、２台の室内ユニット１２０に接続されていた。しかし、各冷媒系統ＲＳ（通信系統ＣＳ）に接続される室内ユニット１２０は何台あってもよく、例えば１台であってもよいし、３台以上であってもよい。
【０１５３】
（７−２）変形例Ｂ
上記実施形態では、通信系統ＣＳ及び冷媒系統ＲＳは４系統で構成されていたが、これに限定されず、通信系統ＣＳ及び冷媒系統ＲＳは何系統でもよい。例えば、通信系統ＣＳ及び冷媒系統ＲＳは２系統であってもよく、８系統であってもよい。
【０１５４】
（７−３）変形例Ｃ
上記実施形態では、上記実施形態では、切換部８０（第１切換部８１、第２切換部８２、第３切換部８３及び第４切換部８４）は、切換部８０は、駆動電圧を供給されていない時にはオン状態となり駆動電圧を供給されている時にはオフ状態となる電磁リレーであったが、駆動電圧を供給されていない時にはオフ状態となり駆動電圧を供給されている時にはオン状態となるタイプのものを採用してもよい。また、切換部８０は、電磁リレーには限定されず、トランジスタ等の半導体スイッチや無接点リレー等であってもよい。
【０１５５】
（７−４）変形例Ｄ
上記実施形態では、中間ユニット制御部１３１は、第４系統登録処理の完了後、全ての切換部８０をオン状態とし、初期設定モードから通常モードに遷移する制御を実行していた。しかし、中間ユニット制御部１３１は、第４系統登録処理の完了後、通常モードに遷移する前にエラー処理を実行するように構成してもよい。
【０１５６】
例えば、エラー処理として、中間ユニット制御部１３１は、第４系統登録処理の完了後、記憶部９１に室内ユニット１２０の通信アドレスが重複して登録されているか否かを判定するように構成してもよい。そして、重複登録が存在する場合には、中間ユニット制御部１３１は、アドレス設定にエラーがあったと判定してアドレス設定処理を再度実行するように制御してもよい。また、アドレス設定処理を再度実行した後で、さらに重複登録が存在する場合には、中間ユニット制御部１３１は、リモコン等に警告を表示して初期設定のアドレス設定処理及びアドレス登録処理を中断するようにしてもよい。
【０１５７】
（７−５）変形例Ｅ
上記実施形態では、中間ユニット制御部１３１は、初期設定モードにおいて、図６に示すような流れで処理を実行していた。しかし、これに限定されず、中間ユニット制御部１３１は、初期設定モードにおいて、図９に示すような流れで処理を行ってもよい。
【０１５８】
図９に示す処理の流れでは、中間ユニット制御部１３１は、空調システム１００の電源投入時に初期設定モードに遷移し、室外ユニット制御部１１１からアドレス設定信号を受けてアドレス取得処理が完了すると、ステップＳ２０１に進んでアドレス設定登録処理を実行する。
【０１５９】
ステップＳ２０１において、中間ユニット制御部１３１は、第２切換部８２、第３切換部８３及び第４切換部８４をオフ状態として、第１切換部８１のみをオン状態とする。その後、中間ユニット制御部１３１は、アドレス設定報知信号を第１通信系統ＣＳ１（第１冷媒系統ＲＳ１）に接続された室内ユニット１２０に対して送信する。そして、ステップＳ２０２へ進む。
【０１６０】
ステップＳ２０２において、中間ユニット制御部１３１は、アドレス設定報知信号を送信してから所定時間内にアドレス設定要求信号を受信したか否か、又はアドレス設定報知信号を送信してから所定時間が経過したか否かを判定する。当該判定がＮＯの場合（すなわち、アドレス設定要求信号を受信することなく所定時間が経過した場合、もしくはアドレス設定信号を送信してから所定時間が経過した場合）には、ステップＳ２０４へ進む。一方、当該判定がＹＥＳの場合（すなわち、所定時間が経過する前にアドレス設定要求信号を受信した場合）には、ステップＳ２０３へ進む。
【０１６１】
ステップＳ２０３において、中間ユニット制御部１３１は、アドレス設定要求信号を送信した室内ユニット１２０に対して固有の通信アドレスを設定して、当該室内ユニット１２０に対してアドレス設定信号を送信する。また、これとともに、当該室内ユニット１２０の通信アドレスに第１通信系統ＣＳ１（第１冷媒系統ＲＳ１）を示す系統特定情報を付加して記憶部９１に登録する。そして、ステップＳ２０２に戻る。
【０１６２】
ステップＳ２０４において、中間ユニット制御部１３１は、第１切換部８１、第３切換部８３及び第４切換部８４をオフ状態として、第２切換部８２のみをオン状態とする。その後、中間ユニット制御部１３１は、アドレス設定報知信号を第２通信系統ＣＳ２（第２冷媒系統ＲＳ２）に接続された室内ユニット１２０に対して送信する。そして、ステップＳ２０５へ進む。
【０１６３】
ステップＳ２０５において、中間ユニット制御部１３１は、ステップＳ２０２と同様の判定を行う。当該判定がＮＯの場合には、ステップＳ２０７へ進む。一方、当該判定がＹＥＳの場合には、ステップＳ２０６へ進む。
【０１６４】
ステップＳ２０６において、中間ユニット制御部１３１は、アドレス設定要求信号を送信した室内ユニット１２０に対して固有の通信アドレスを設定して、当該室内ユニット１２０に対してアドレス設定信号を送信する。また、これとともに、当該室内ユニット１２０の通信アドレスに第２通信系統ＣＳ２（第２冷媒系統ＲＳ２）を示す系統特定情報を付加して記憶部９１に登録する。そして、ステップＳ２０５に戻る。
【０１６５】
ステップＳ２０７において、中間ユニット制御部１３１は、第１切換部８１、第２切換部８２及び第４切換部８４をオフ状態として、第３切換部８３のみをオン状態とする。その後、中間ユニット制御部１３１は、アドレス設定報知信号を第３通信系統ＣＳ３（第３冷媒系統ＲＳ３）に接続された室内ユニット１２０に対して送信する。そして、ステップＳ２０８へ進む。
【０１６６】
ステップＳ２０８において、中間ユニット制御部１３１は、ステップＳ２０２と同様の判定を行う。当該判定がＮＯの場合には、ステップＳ２１０へ進む。一方、当該判定がＹＥＳの場合には、ステップＳ２０９へ進む。
【０１６７】
ステップＳ２０９において、中間ユニット制御部１３１は、アドレス設定要求信号を送信した室内ユニット１２０に対して固有の通信アドレスを設定して、当該室内ユニット１２０に対してアドレス設定信号を送信する。また、これとともに、当該室内ユニット１２０の通信アドレスに第３通信系統ＣＳ３（第３冷媒系統ＲＳ３）を示す系統特定情報を付加して記憶部９１に登録する。そして、ステップＳ２０８に戻る。
【０１６８】
ステップＳ２１０において、中間ユニット制御部１３１は、第１切換部８１、第２切換部８２及び第３切換部８３をオフ状態として、第４切換部８４のみをオン状態とする。その後、中間ユニット制御部１３１は、アドレス設定報知信号を第４通信系統ＣＳ４（第４冷媒系統ＲＳ４）に接続された室内ユニット１２０に対して送信する。そして、ステップＳ２１１へ進む。
【０１６９】
ステップＳ２１１において、中間ユニット制御部１３１は、ステップＳ２０２と同様の判定を行う。当該判定がＮＯの場合には、ステップＳ２１３へ進む。一方、当該判定がＹＥＳの場合には、ステップＳ２１２へ進む。
【０１７０】
ステップＳ２１２において、中間ユニット制御部１３１は、アドレス設定要求信号を送信した室内ユニット１２０に対して固有の通信アドレスを設定して、当該室内ユニット１２０に対してアドレス設定信号を送信する。また、これとともに、当該室内ユニット１２０の通信アドレスに第４通信系統ＣＳ４（第４冷媒系統ＲＳ４）を示す系統特定情報を付加して記憶部９１に登録する。そして、ステップＳ２１１に戻る。
【０１７１】
ステップＳ２１３において、中間ユニット制御部１３１は、全ての切換部８０をオン状態とする。その後、中間ユニット制御部１３１は、初期設定モードから通常モードに遷移する。
【０１７２】
以上のように、図６に示す処理の流れでは中間ユニット制御部１３１はアドレス設定処理が完了してからアドレス登録処理を行っていたが、図９に示す処理の流れでは、アドレス設定処理とアドレス登録処理とが同時に行われる。このような処理の流れによっても本発明の目的は達成される。
【産業上の利用可能性】
【０１７３】
本発明は、空調システムに利用可能である。
【符号の説明】
【０１７４】
１１    液連絡管
１２    ガス連絡管
１３    高低圧ガス連絡管
５５    第１ヘッダ
５６    第２ヘッダ
５７    第３ヘッダ
５８    第４ヘッダ
７０    ＢＳユニット
７０ａ    第１ＢＳユニット
７０ｂ    第２ＢＳユニット
７０ｃ    第３ＢＳユニット
７０ｄ    第４ＢＳユニット
８０    切換部
８１    第１切換部
８２    第２切換部
８３    第３切換部
８４    第４切換部
９１    記憶部
９２    第１通信部
９３    第２通信部
９４    第１通信制御部
９５    第２通信制御部
９６    ＢＳユニット制御部
９７    初期設定部
１００    空調システム
１１０    室外ユニット（熱源側ユニット）
１１１    室外ユニット制御部
１１２    通信ケーブル（第２伝送路）
１２０（１２０ａ〜ｈ）    室内ユニット（利用側ユニット）
１２１（１２１ａ〜ｈ）    室内ユニット制御部
１３０    中間ユニット（冷媒分岐ユニット）
１３１    中間ユニット制御部
１５１〜１５４    通信ケーブル（伝送路）
ＣＳ      通信系統
ＣＳ１    第１通信系統
ＣＳ２    第２通信系統
ＣＳ３    第３通信系統
ＣＳ４    第４通信系統
ＥＶ１    第１電動弁
ＥＶ２    第２電動弁
ＥＶ３    第３電動弁
ＧＰ（ＧＰ１〜４）  ガス管（冷媒配管）
ＬＰ（ＬＰ１〜４）  液管（冷媒配管）
ＲＳ      冷媒系統
ＲＳ１    第１冷媒系統
ＲＳ２    第２冷媒系統
ＲＳ３    第３冷媒系統
ＲＳ４    第４冷媒系統
【先行技術文献】
【特許文献】
【０１７５】
【特許文献１】特開２０００−１４６２６６号公報
【図１】
0005949832.tif 000002
【図２】
0005949832.tif 000003
【図３】
0005949832.tif 000004
【図４】
0005949832.tif 000005
【図５】
0005949832.tif 000006
【図６】
0005949832.tif 000007
【図７】
0005949832.tif 000008
【図８】
0005949832.tif 000009
【図９】
0005949832.tif 000010